(57)【要約】【課題】複数チューナ内蔵テレビ受信機において、アンテナからの大きく信号強度が異なるチャンネルを同時に最適に視聴する。【解決手段】分配器３は、入力インターフェイス部１と、分配器２１と、２つの出力インターフェイス部５・７と、を有している。出力インターフェイス部５・７と分配器２１との間には、増幅器３３・３５を通すか否かをそれぞれの出力インターフェイス部５・７毎に選択することができるスイッチ２３及び２５と、増幅器３３・３５と、増幅器ＯＮ／ＯＦＦ制御部２７・３１と、が設けられている。この幅器ＯＮ／ＯＦＦ制御部２７・３１により、分配する信号を増幅器３３・３５により増幅するか否かの制御を行う。【選択図】図２Ａ
2008118415.tif 000002
【特許請求の範囲】
【請求項１】
第１及び第２のチューナを含む複数のチューナを内蔵するテレビジョン受信装置であって、
分配器により分配されて前記第１のチューナと前記第２のチューナとに出力される信号を独立に制御する制御部を有することを特徴とするテレビジョン受信装置。
【請求項２】
前記制御部は、分配器の後段に設けられ、前記第１のチューナと前記第２のチューナとの出力に接続される第１の増幅器と第２の増幅器と、該第１の増幅器と前記第２の増幅器とを通すかスルーするかに関する切換を行う第１及び第２のスイッチと、を有することを特徴とする請求項１に記載のテレビジョン受信装置。
【請求項３】
前記制御部は、分配器の前段に設けられる増幅器と、分配器の後段に設けられ前記第１のチューナと前記第２のチューナとに出力に接続される第１の減衰器と第２の減衰器と、該第１の減衰器と該第２の減衰器の減衰に関する制御を独立して行うゲイン制御部と、を有することを特徴とする請求項１に記載のテレビジョン受信装置。
【請求項４】
前記制御部は、分配器の前段に設けられる可変増幅器と、該可変増幅器を関するゲイン制御を独立して行うゲイン制御部と、を有することを特徴とする請求項１に記載のテレビジョン受信装置。
【請求項５】
チャンネルサーチにおいて、各チャンネルに適した信号の制御状態を選択し、チャンネル情報とともに保持する記憶部を備えることを特徴とする請求項１から４までのいずれか１項に記載のテレビジョン受信装置。
【請求項６】
第１及び第２のチューナを含む複数のチューナを内蔵するテレビジョン受信装置であって、
入力インターフェイスと、分配器と、出力インターフェイス部と、それぞれの後段に設けられる前記第１及び第２のチューナの後段にそれぞれ接続される第１の復調部及び第２の復調部と、制御部と、を備え、
前記制御部は、前記第１及び第２のそれぞれの復調部に接続され、フィードバック制御信号を前記分配器に戻す構成を有することを特徴とするテレビジョン受信装置。  
【請求項７】
前記制御部は、選局時又はチャンネルサーチの実施時に、チューナ後段の前記復調部において受信状態を読み出し、受信状態が良好になるゲイン制御値をフィードバックして前記分配器のゲインを制御することを特徴とする請求項６に記載のテレビジョン受信装置。
【請求項８】
前記制御部は、前記第１のチューナと前記第２のチューナとに基づく２面表示を行うことを特徴とする請求項１から７までのいずれか１項に記載のテレビジョン受信装置。
【発明の詳細な説明】
【技術分野】
【０００１】
本発明は、テレビジョン受信装置に関し、特に複数のチューナを備えたテレビジョン受信装置に関する。
【背景技術】
【０００２】
従来、テレビジョン受信装置では、アンテナ入力端子からの信号を分配器により例えば２つのチューナに分配して信号を送ることが行われている（例えば、特許文献１参照）。
【０００３】
ところで、分配器により減衰した信号を増幅するために増幅器が設けられていることが一般的であるが、その増幅器の数は１個である。従って、増幅器のON/OFFにより、後段の各チューナに入力されるアンテナ信号の強度は同時に変化する。上記特許文献１に記載の技術は、テレビジョン受信装置へのアンテナ信号分配を目的にする記録装置に関する発明であり、分配による減衰を補う増幅回路を用いることなどが記載されている。
【０００４】
図６は、一般的な分配器の一構成例を示す機能ブロック図である。図６に示すように、分配器１０３は、入力インターフェイス部１０１と、分配器１１７と、２つの出力インターフェイス部１０５・１０７と、を有している。入力インターフェイス部１０１と分配器１１７との間には、増幅器１１５を通すか否かを選択するスイッチ１１１及び増幅器ＯＮ／ＯＦＦ制御部１２１と、が設けられている。この幅器ＯＮ／ＯＦＦ制御部１２１により、分配する信号を増幅器１１５により増幅するか否かの制御を行う。
【０００５】
【特許文献１】特開２００５−１３０２４０号公報
【発明の開示】
【発明が解決しようとする課題】
【０００６】
２つのチューナを利用した例えば２画面機能などによりテレビジョン受信装置に入力されるアンテナ信号において、チャンネル間に大きな信号強度差がある番組を視聴する場合などにおいて、一方のチューナにおいて選局されたチャンネルの信号強度を最適化すると、他方のチューナにより選局されるチャンネルが、本来、テレビジョン受信装置により受信可能な信号強度範囲に収まらないなどの問題が生じる場合がある。
【０００７】
すなわち、特許文献１に記載の分配器の構成をテレビジョン受信装置にそのまま適用しても、信号強度が大きく異なるチャンネルを同時に最適条件で視聴することは困難であるという問題がある。
【０００８】
本発明は、複数チューナ内蔵テレビ受信機において、アンテナからの大きく信号強度が異なるチャンネルを同時に最適条件で視聴することを目的とする。
【課題を解決するための手段】
【０００９】
複数のチューナを内蔵したテレビ受信機においては、通常、受信機の各チューナ前段にチューナ数に応じた分配器を装備している。この分配器ではアンテナ信号分配による信号強度の減衰を補うための増幅器が具備されている。現状、この増幅器は信号分配前に後段での分配損失を補う目的で用いられていることから、分配器内に1個である。
本発明によれば、この増幅器を分配後の各信号に設けることにより、各チューナで選局処理されるチャンネルの信号強度に応じ、増幅器を通したほぼ入力信号レベルに近い強度の信号として用いるか、あるいは増幅器をパスした入力信号に対して減衰した信号として用いるかを受信機にて選択することで最適化する。
【００１０】
本発明の一観点によれば、第１及び第２のチューナを含む複数のチューナを内蔵するテレビジョン受信装置であって、分配器により分配されて前記第１のチューナと前記第２のチューナとに出力される信号を独立に制御する制御部を有することを特徴とするテレビジョン受信装置が提供される。前記制御部は、分配器の後段に設けられ、前記第１のチューナと前記第２のチューナとの出力に接続される第１の増幅器と第２の増幅器と、該第１の増幅器と前記第２の増幅器とを通すかスルーするかに関する切換を行う第１及び第２のスイッチと、を有することが好ましい。前記制御部は、分配器の前段に設けられる増幅器と、分配器の後段に設けられ前記第１のチューナと前記第２のチューナとに出力に接続される第１の減衰器と第２の減衰器と、該第１の減衰器と前記第２の減衰器の減衰に関する制御を独立して行うゲイン制御部と、を有することが好ましい。
【００１１】
前記制御部は、分配器の前段に設けられる可変増幅器と、該可変増幅器に関するゲイン制御を独立して行うゲイン制御部と、を有することが好ましい。また、チャンネルサーチにおいて、各チャンネルに適した信号の制御状態を選択し、チャンネル情報とともに保持する記憶部を備えても良い。これにより、ユーザー選局時、選ばれたチャンネルごとにこの分配器ON/OFFを切り替えることができる。
【００１２】
本発明の他の観点によれば、第１及び第２のチューナを含む複数のチューナを内蔵するテレビジョン受信装置であって、入力インターフェイスと、分配器と、出力インターフェイス部５・７と、それぞれの後段に設けられる前記第１及び第２のチューナの後段にそれぞれ接続される第１の復調部及び第２の復調部と、制御部と、を備え、前記制御部は、前記第１及び第２のそれぞれの復調部に接続され、フィードバック制御信号を前記分配器に戻す構成を有することを特徴とするテレビジョン受信装置が提供される。
【００１３】
前記制御部は、選局時又はチャンネルサーチの実施時に、チューナ後段の前記復調部において受信状態を読み出し、受信状態が良好になるゲイン制御値をフィードバックして前記分配器のゲインを制御することが好ましい。
【００１４】
尚、前記制御部は、前記第１のチューナと前記第２のチューナとに基づく２面表示を行うものであっても良い。
【発明の効果】
【００１５】
本発明によれば、複数チューナ内蔵テレビ受信機において、アンテナからの大きく信号強度が異なるチャンネルを同時に最適に視聴することが出来る。
【発明を実施するための最良の形態】
【００１６】
以下、本発明の第１の実施の形態によるテレビジョン受信装置について図面を参照しながら説明を行う。図１は、本実施の形態によるテレビジョン受信装置Ａの一構成例を示す図である。図１に示すように、テレビジョン受信装置Ａは、アンテナ側の入力インターフェイス部１と、分配器３と、出力側のインターフェイス部５・７と、それぞれに接続される第１のチューナ１１及び第２のチューナ１５とを有している。図２Ａは、分配器の一構成例を示す機能ブロック図である。図２Ｂは、図２Ａに示す構成による信号強度の調整の様子を示す図である。図２Ａに示すように、本実施の形態による分配器３は、入力インターフェイス部１と、分配器２１と、２つの出力インターフェイス部５・７と、を有している。出力インターフェイス部５・７と分配器２１との間には、増幅器３３・３５を通すか否かをそれぞれの出力インターフェイス部５・７毎に選択することができるスイッチ２３及び２５と、増幅器３３・３５と、増幅器ＯＮ／ＯＦＦ制御部２７・３１と、が設けられている。この幅器ＯＮ／ＯＦＦ制御部２７・３１により、分配する信号を増幅器３３・３５により増幅するか否かの制御を行う。図２Ａ、図２Ｂに示すように、出力５の方の分配後の信号強度は視聴可能領域に入っておらず、出力７の方の分配後の信号強度が視聴可能領域に入っている場合に（Ｌ２）、出力５側のみを増幅器ＯＮ／ＯＦＦ制御２７の制御に基づいてスイッチ２３を切換え、増幅器３３で増幅する（Ｌ１からＬ３）ことにより、視聴可能領域に入れることができる。
【００１７】
分配器内の増幅器ＯＮ／ＯＦＦ制御を用い、例えば初期設定時に行うチャンネルサーチ処理において、各チャンネルで最適となる増幅器状態を選択し、チャンネル情報とともに受信装置内の図示しない記憶部に保持しておく。ユーザーがチャネルを選局する時に、選局されたチャネル毎にこのＯＮ／ＯＦＦ制御を適切に切り替える。本実施の形態によれば、各チューナ１１・１５（図１）で選局される信号個々に最適なゲインを制御することができ、２画面表示などの際に好適な受信状態を得ることができる。
【００１８】
次に、本発明の第２の実施の形態によるテレビジョン受信装置について、図面を参照しながら説明を行う。図３Ａに示す分配器３は、入力インターフェイス１からの入力初段に増幅器３７を設け、分配器４１を介して、後段の各信号に減衰量をゲイン制御４７・５１により可変できる減衰器４３・４５を設ける。図３Ｂに示すように、増幅・分配後の出力５は、増幅器３７により視聴可能領域に入り（Ｌ４からＬ５）、一方、増幅・分配後の出力７は、増幅器３７により視聴可能領域をはみ出すような場合に（Ｌ６からＬ７）、出力７側の減衰器４５により信号を減衰させてＬ８のように視聴可能領域に入れることができる。これにより、各チューナで選局される信号個々に最適なゲイン制御ができ、２画面表示などの際に好適な受信状態が得られるという利点がある。
【００１９】
次に、本発明の第３の実施の形態によるテレビジョン受信装置について、図面を参照しながら説明を行う。図４Ａに示すように、入力インターフェイス１からの入力初段にゲイン制御部６１によりゲインを制御可能な可変増幅器５５を設け、その後段に分配器５７を設けている。図４Ｂにも示すように、出力５は、増幅器５５により視聴可能領域に入り（Ｌ８からＬ９）、一方、増幅後の出力７は、増幅器５５により視聴可能領域をはみ出すような場合でも（Ｌ１１からＬ１２）、その後に設けられている分配器５７による減衰により、Ｌ１０・Ｌ１３のように信号出力を視聴可能領域に入れることができる。これにより、各チューナで選局される信号個々に最適なゲイン制御ができ、２画面表示などの際に好適な受信状態が得られるという利点がある。
【００２０】
尚、上記の技術を可能とするため、受信機では受信可能なチャンネルをサーチする際、各チャンネルによってチューナが十分に受信が可能なように各実施の形態における分配器において信号のゲインを調整し、そのチャンネルに最適（受信可能）なゲイン制御量をチャンネル情報とともに記録しておくのが好ましい。
【００２１】
次に、本発明の第４の実施の形態によるテレビジョン受信装置について、図面を参照しながら説明を行う。図５に示すように、本実施の形態によるテレビジョン受信装置は、入力インターフェイス１と、分配器３と、出力インターフェイス部５・７と、それぞれの後段に設けられる第１のチューナ１１及び第２のチューナ１５と、それぞれの後段に接続される第１の復調部７１、第２の復調部７３と、制御部（ＣＰＵ）７７と、を備えている。ＣＰＵ７７は、バス接続７５・８５により第１及び第２のそれぞれの復調部７１・７３に接続されるとともに、フィードバック制御信号８１・８３を分配器３に戻す。
【００２２】
上記構成において、例えば、各選局チャンネルにおいて、選局時あるいはチャンネルサーチの実施時に、チューナ後段の復調部７１・７３において受信状態を示すＣ／Ｎ値やＢＥＲ値を読み出す。例えば、これらの値が最も良好になるゲイン制御値を記録する。以降の処理においては、選局の度に、受信機内に記録したこの制御値を用いる。適宜、ある期間毎に更新するようにしても良い。チャンネル選局後、定期的にチューナ後段の復調部７１・７３において受信状態を示すＣ／Ｎ値やＢＥＲ値を読み出し、これが最も良好になるゲイン制御値をフィードバック制御する。この方法を用いると、受信機内にゲイン制御値を記録する必要はないという利点がある。
【産業上の利用可能性】
【００２３】
本発明は、複数のチューナを備えたテレビジョン受信装置に利用可能である。
【図面の簡単な説明】
【００２４】
【図１】本発明の第１の実施の形態によるテレビジョン受信装置の一構成例を示す図である。
【図２Ａ】分配器の一構成例を示す機能ブロック図である。
【図２Ｂ】図２Ａに示す構成による信号強度の調整の様子を示す図である。
【図３Ａ】本発明の第２の実施の形態によるテレビジョン受信装置における分配器の構成例を示す図である。
【図３Ｂ】図３Ａに示す構成による信号強度の調整の様子を示す図である。
【図４Ａ】本発明の第３の実施の形態によるテレビジョン受信装置における分配器の構成例を示す図である。
【図４Ｂ】図４Ａに示す構成による信号強度の調整の様子を示す図である。
【図５】本発明の第４の実施の形態によるテレビジョン受信装置の一構成例を示す図である。
【図６】一般的な分配器の一構成例を示す機能ブロック図である。
【符号の説明】
【００２５】
１…入力インターフェイス、３…分配器、５…出力インターフェイス、７…出力インターフェイス、１１…第１のチューナ、１５…第２のチューナ、２１…分配器、２３、２５…スイッチ、２７…第１の増幅器ＯＮ／ＯＦＦ制御、３１…第２の増幅器ＯＮ／ＯＦＦ制御、３３、３５…増幅器。
【図１】
2008118415.tif 000003
【図２Ａ】
2008118415.tif 000004
【図２Ｂ】
2008118415.tif 000005
【図３Ａ】
2008118415.tif 000006
【図３Ｂ】
2008118415.tif 000007
【図４Ａ】
2008118415.tif 000008
【図４Ｂ】
2008118415.tif 000009
【図５】
2008118415.tif 000010
【図６】
2008118415.tif 000011